(57)【要約】【課題】  脳障害者の特質に鑑み、信頼のおける家族や介護者からメッセージが伝達されていると思われるようにしてスケジュールを伝達する。【解決手段】  スケジュールの時間及びその時間に対応するメッセージを記憶するスケジュール管理テーブル１０７と、脳障害者が信頼する人の音声データで音声合成する音声合成装置１０８と、脳障害者が信頼する人の画像データを格納するメモリ１０６と、画像データ及びメッセージを出力するＴＶモニタと、を備え、スケジュールで設定された時間に、対応するメッセージを音声合成装置１０８から出力し、ＴＶモニタのスピーカよりメッセージを出力する時に同時に上記の画像データも表示する。【選択図】  図２
2006277191.tif 000002
【特許請求の範囲】
【請求項１】
スケジュールの時間及びその時間に対応するメッセージを記憶するスケジュール管理テーブルと、脳障害者が信頼する人の音声データで音声合成する音声合成手段と、メッセージを出力する出力手段と、を備え、前記スケジュールで設定された時間に、その時間に対応するメッセージをスケジュール管理テーブルより読み出し、前記音声合成手段でそのメッセージに対応する音声信号を合成し、前記出力手段より出力することを特徴とするスケジュール伝達装置。
【請求項２】
画像を表示する表示手段と、脳障害者が信頼する人の画像データを格納する手段とを有し、メッセージを出力する時に同時に脳障害者が信頼する人の画像データを表示手段により表示することを特徴とする請求項１に記載のスケジュール伝達装置。
【請求項３】
ネットワークと接続する手段を備え、前記スケジュール管理テーブルのデータは、ネットワークを介して与えられることを特徴とする請求項１に記載のスケジュール伝達装置。
【請求項４】
前記出力手段と表示手段は、スピーカを内蔵したモニタで構成され、メッセージを出力する前のモニタの状態を検出する手段を備え、メッセージの出力後、メッセージ出力前の状態にモニタを復帰させることを特徴とする請求項２に記載のスケジュール伝達装置。
【発明の詳細な説明】
【技術分野】
【０００１】
この発明は、スケジュール伝達装置に係り、特に、痴呆や事故などによる脳障害者に対するスケジュールの管理を行い当該スケジュールを障害者に伝達するスケジュール伝達装置に関するものである。
【背景技術】
【０００２】
痴呆や事故などによる脳障害者は、行動スケジュールの管理、例えば、介護施設や病院の通院日時、投薬時間などの日常的な行動スケジュールの管理を行うことが困難な場合が多い。このため、介護者が常にスケジュール管理を行い、スケジュールされた行動予定の直前に障害者にその内容を伝達する必要がある。このため、頻繁に被介護者へスケジュールの内容を伝達する必要があり、介護者にとって負担となっていた。
【０００３】
一方、介護者の日々のスケジュールをパーソナルコンピュータで管理できるソフトウェアが発売されている。しかしながら、脳障害者がパーソナルコンピュータを操作してパーソナルコンピュータのディスプレイモニタ上に表示されたスケジュールに従って行動することは困難である。
【０００４】
また、設定時刻になると記憶した月、曜日に対す音声メッセージを出すセラピー玩具が提案されている（特許文献１参照）。
【０００５】
ところで、脳障害者の特質として、信頼のおける家族や介護者から伝えられるメッセージにはきわめて良く反応し、指示に従って行動を起こしてくれやすい傾向がある。
【特許文献１】特開２００２−１７２２７４号公報
【発明の開示】
【発明が解決しようとする課題】
【０００６】
しかしながら、上記した特許文献１のものは人形や動物のぬいぐるみを外観とする玩具が音声メッセージを出力するものであり、脳障害者にとっては、そのメッセージに従う頻度は少ないと考えられる。
【０００７】
そこで、この発明は、脳障害者の特質に鑑み、信頼のおける家族や介護者からメッセージを伝達されていると思われるようにしてスケジュールを伝達できる装置を提供することを目的とするものである。
【課題を解決するための手段】
【０００８】
この発明のスケジュール伝達装置は、スケジュールの時間及びその時間に対応するメッセージを記憶するスケジュール管理テーブルと、脳障害者が信頼する人の音声データで音声合成する音声合成手段と、メッセージを出力する出力手段と、を備え、前記スケジュールで設定された時間に、その時間に対応するメッセージをスケジュール管理テーブルより読み出し、前記音声合成手段でそのメッセージに対応する音声信号を合成し、前記出力手段より出力することを特徴とする。
【０００９】
この発明は、更に、画像を表示する表示手段と、脳障害者が信頼する人の画像データを格納する手段とを有し、メッセージを出力する時に同時に脳障害者が信頼する人の画像データを表示手段により表示するように構成すると良い。
【００１０】
また、この発明は、ネットワークと接続する手段を備え、前記スケジュール管理テーブルのデータをネットワークを介して与るように構成できる。
【００１１】
また、前記出力手段と表示手段は、スピーカを内蔵したモニタで構成され、メッセージを出力する前のモニタの状態を検出する手段を備え、メッセージの出力後、メッセージ出力前の状態にモニタを復帰させるように構成できる。
【発明の効果】
【００１２】
この発明によれば、脳障害者が信頼のおける人の音声データに基づいて、メッセージを音声合成して、スピーカより出力することができ、脳障害者には、信頼のおける人がメッセージを伝達していると感じることができる。。このとき、モニタなどの表示手段に格納された信頼のおける人の画像を表示することで、更に、脳障害者に安心感を与えることができ、よりメッセージに反応し、指示に従って行動を起こすことが期待できる。
【発明を実施するための最良の形態】
【００１３】
この発明の実施の形態について図面を参照しながら詳細に説明する。なお、図中同一または相当部分には同一符号を付し、説明の重複を避けるためにその説明は繰返さない。図１は、この発明の実施形態にかかるスケジュール伝達装置の全体構成を示す概略図、図２は、この発明の実施形態にかかるスケジュール伝達装置の構成を示すブロック図、図３は、この発明のスケジュール伝達装置に格納されるスケジュールテーブルの一例を示す図である。
【００１４】
この発明のスケジュール伝達装置は、病院、老人ホーム、一般家庭などに用いられる。図１に示す構成は在宅ケアシステムにおいて、この発明のスケジュール伝達装置を適用した例を示している。
【００１５】
図１に示すように、この装置は、パーソナルコンピュータ、ワークステーションなどで構成される制御装置１０を含み、提示手段としてＣＲＴ、液晶表示装置、プラズマディスプレイ装置などのＴＶモニタ１にスケジュール管理に基づくメッセージを表示させるものである。
【００１６】
ＴＶモニタ１は制御装置１０により制御され、アンテナ４０からのＴＶ信号が制御装置１０に与えられ、この制御装置１０から映像信号、音声信号がＴＶモニタ１に与えられ、ＴＶモニタ１にＴＶ番組が表示される。また、ＴＶモニタ１には、ビデオ装置（またはＤＶＤ装置）３０からの映像、音声信号が入力され、ビデオコンテンツをＴＶモニタ１で楽しむことができる。また、ビデオからの出力は、制御装置１０にも与えられ、制御装置１０を介してビデオ出力をＴＶモニタ１に与えることもできる。
【００１７】
制御装置１０には、キーボード、スキャナ、リムバーブルディスクなどが接続される入力手段１１が接続され、この入力手段１０より、制御装置１０にスケジュール管理データ、脳障害者が信頼している人の写真データ、脳障害者が信頼している人の声（音声データ）が入力される。ここで、信頼している人とは、例えば、介護者、親（障害者が子供の場合）、子供（障害者が親の場合）、兄弟などの血族関係、それに近い人、同居人、近所などの親しい人、かかりつけの医者（主治医）、所属または関係する介護施設の職員などである。
【００１８】
スケジュール管理データは、時間とその時間に行う行動等を指示するメッセージの対で構成される。ここで、時間は、月、日、時間等の全てを含む。この実施形態におけるスケジュール管理データは、図３に示すように、スケジュールテーブルで構成され、日時とメッセージ（テキストデータ）の対で構成されている。例えば、「８時、朝食の時間です。」というように、その日時に行う行動等を指示するメッセージが記録される。このスケジュール管理データは、キーボードを用いて、日時、その日時に対応するメッセージを入力したり、あるいは、予め決められたフォーマットの入力用紙に日時、メッセージを記入し、スキャナを用いて入力するように構成しても良い。
【００１９】
更に、この図１に示すように、介護家庭に設定されたスケジュール伝達装置の制御装置１０はインターネットなどのネットワーク１００と接続されている。そして、医療機関やボランティアが滞在する管理センタのサーバ７０もネットワーク１００に接続され、管理センタ７０のサーバからスケジュール管理データをネットワーク１００を介して制御装置１０に与えるように構成している。また、この実施形態は、携帯端末、例えば、携帯電話６０からネットワーク１００を介して管理センター７０のサーバ７０にアクセスし、ｗｅｂ入力により、スケジュール管理データを制御装置１０に与えることもできる。このように、介護者が外出先から被介護者にスケジュールを伝達することもできる。
【００２０】
アンテナ４０からのＴＶ信号も制御装置に与えられ、制御装置からＴＶモニタ１に映像信号、音声信号が供給され、ＴＶモニタ１でＴＶ番組を被介護者が視聴できる。更に、ビデオ装置３０からの映像信号、音声信号が制御装置に供給され、ＴＶモニタ１でビデオコンテンツを楽しむことができるように構成されている。
【００２１】
図２に示すように、制御装置１０は、ＣＰＵ（Ｃｅｎｔｒａｌ  Ｐｒｏｃｅｓｓｉｎｇ  Ｕｎｉｔ）１０１、テレビチューナ１０２と、音声スイッチ１０３、映像多重部１０４、ＬＡＮカード（またはモデム）１０５，ブラウザやメールのソフト、受信したメッセージを格納するメモリ１０６、スケジュール管理データが格納されたスケジュール管理テーブル１０７、音声合成装置１０８、タイマ１０９、インタフェース（Ｉ／Ｆ）回路１１０とで構成されている。これら各装置はバス１２０に接続されている。
【００２２】
ＣＰＵ１０１は、音声スイッチ１０３、映像多重部１０４や、ＬＡＮカード１０５や、ハードディスクなどで構成されたメモリ１０６、スケジュール管理データが格納されたスケジュール管理テーブル１０７、音声合成装置１０８等を制御するための制御信号を出力する。
【００２３】
音声スイッチ１０３には、チューナ１０２、ビデオ装置３０、音声合成装置１０８で音声合成されたメッセージ等の音声信号が与えられる。ＣＰＵ１０１により、どの音声信号を出力するか選択される。また、映像多重部１０４には、チューナ１０２、ビデオ装置３０、メモリ１０６に格納された家族や介護者など脳障害者が信頼している顔データなどの映像信号が与えられる。そして、ＣＰＵ１０１により、チューナ１０２、ビデオ装置３０、顔データのいずれかの映像信号を選択したり、必要に応じて顔データをＴＶ番組やビデオコンテンツの映像信号にスーパーインポーズして出力する。
【００２４】
音声スイッチ１０３から送られてきた音声信号や、映像多重部２０４から送られてきた映像信号がＴＶモニタ１に出力される。これによりユーザはテレビ番組やビデオコンテンツを見たり、信頼している人の顔を見たりすることができる。
【００２５】
また、制御装置１０は、ＴＶモニタ１のＯＮ（オン）／ＯＦＦ（オフ）状態の検出、ＴＶモニタ１のＯＮ／ＯＦＦ制御、ＴＶ番組、ビデオコンテンツの切り替え並びにＴＶモニタ１に内蔵されたスピーカの音量、スピーカに与える音声信号を供給する。
【００２６】
このスケジュール伝達装置の動作は、制御装置１０のハードウェアとＣＰＵ１０１により実行されるソフトウェアとにより実現される。一般的にこのようなソフトウェアは、ＣＤ−ＲＯＭ、ＤＶＤ−ＲＯＭ、ＦＤ等の記憶媒体に格納されて流通し、入力手段１３０からインターフェース回路１１０を介してメモリ１０６にそのソフトウェアが格納される。また、当該装置がネットワークに接続されている場合には、サーバからハードディスクにソフトウェアを取り込む。そして、メモリ１０６からソフトウェアが読み出され、ＣＰＵ１０１により実行される。
【００２７】
上記したこの実施形態の制御につき図４のフローチャートに従い説明する。まず、メモリ１０６に図３に示すように、日時とメッセージの対からなるスケジュールテーブルと脳障害者が信頼している人の写真データを格納する。これらデータは、入力手段１３０を用いて制御装置１０に入力するか、インターネットを介して入力する。また、写真データは、静止画だけでなく、話をしているような動画も必要に応じて入力される。
【００２８】
続いて、ステップＳ２において、脳障害者が信頼している人の声（音声データ）を図示しないマイクなどから入力し、登録する。そして、音声合成装置１０８を学習させる。
【００２９】
続いて、スケジュール管理のために、タイマ１０９を計測し、タイマー１０９からの日時データを出力する（ステップＳ３）。そして、タイマー１０９の日時とスケジュールテーブルの日時と照合させ、照合した結果が登録されたスケジュールの管理日時とが一致すると、ステップＳ５に進む。一致しない場合には、ステップＳ３に戻り、前述の動作を繰り返す。
【００３０】
タイマー１０９の日時と登録されたスケジュールの管理日時とが一致すると、メモリ１０６から当該日時に対応するメッセージを読み出し、その読み出したテキストデータを音声合成装置１０８に与える（ステップＳ５）。
【００３１】
その後、ステップＳ６において、ＴＶモニタ１の電源がＯＮになっているか否か判断され、ＯＮになっていると、メッセージを伝達する前の状態がＯＮであり、どのコンテンツを視聴していたかを示す初期状態データをメモリ１０６に登録し（ステップＳ７）、ステップＳ１０に進む。
【００３２】
一方、ステップＳ６において、ＴＶモニタ１の電源がＯＦＦの状態であれば、ステップＳ８に進み、ステップＳ８において、ＴＶモニタ１の電源がＯＮにするとともに、メッセージを伝達する前の状態がＯＦＦであることを示す初期状態データをメモリ１０６に登録し（ステップＳ７）、ステップＳ９に進む。
【００３３】
ステップＳ９においては、ＴＶモニタ１の電源をＯＮにし、脳障害者にＴＶモニタ１を見て貰うように、注意を喚起する音や映像をＴＶモニタ１から出力させる。
【００３４】
ステップＳ１０において、音声合成装置１０８が取り込んだテキストデータに基づき予め登録していた脳障害者が信頼している音声データにより、メッセージを音声合成し、音声スイッチ１０３を切り替え、ＴＶモニタ１へ音声信号として送る。また、メモリ１０６より画像データを読み出し、映像多重部１０４に与え、脳障害者が信頼している人の顔データに基づく映像信号をＴＶモニタ１に送る。ＴＶモニタ１は、送られてきた顔を表示し、同時にスピーカよりメッセージを出力する。
【００３５】
そして、メッセージの出力が終了すると、メモリ１０６に格納された初期状態データを参照し、ＴＶモニタ１がＯＮ状態であったかＯＦＦ状態であったか判断し（ステップＳ１１）、ＯＮ状態であれば、ステップＳ１２に進み、ＯＮ状態を維持しメッセージ伝達前に表示されていたコンテンツをＴＶモニタ１に表示させた後、ステップＳ３に戻り、上述の動作に繰り返す。
【００３６】
一方、ステップＳ１１において、初期状態がＯＦＦ状態であれば、ステップＳ１３に進み、ＴＶモニタ１の電源をＯＦＦにした後、ステップＳ３に戻り、上述の動作に繰り返す。
【００３７】
上記のように、制御装置１０は、入力されたスケジュール管理データに基づき、設定時刻になると、ＴＶモニタ１を制御して、格納された信頼のおける人の音声データに基づいて、メッセージを音声合成し、ＴＶモニタ１に内蔵したスピーカより出力する。このとき、ＴＶモニタ１には、格納された信頼のおける人の画像を表示する。この結果、脳障害者には、信頼のおける人がメッセージを伝達していると感じることができる。
【００３８】
また、上記実施形態においては、映像と音声の両方を提示するように構成したが、音声データのみ提供するシステムにもこの発明は適用できる。
【００３９】
また、上記した実施形態においては、スケジュール管理データを管理センタ７０を介して制御装置１０に入力するように構成したが、管理センタ７０を介さずに携帯電話６０から直接制御装置１０に入力するように構成しても良い。
【００４０】
更に、図１に示した構成ではネットワーク１００を介して被介護者の制御装置と接続されるが、これに限らず電話回線、専用回線などで接続する場合にもこの発明は適用できる。さらに、病院、老人ホームなどに適用する場合には、ＬＡＮなどと病室などに設置される制御装置１０を接続し、サーバやナースセンタからスケジュールデータを送るように構成する場合にもこの発明は適用できる。
【００４１】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００４２】
この発明は、脳障害者などを介護する家庭や施設などに用いることができる。
【図面の簡単な説明】
【００４３】
【図１】この発明の実施形態にかかるスケジュール伝達装置の構成を示す概略図である。
【図２】この発明の実施形態にかかるスケジュール伝達装置に用いられる端末装置の構成を示すブロック図である。
【図３】この発明のスケジュールテーブルの例を示す図である。。
【図４】この発明の第１実施形態にかかるスケジュール伝達装置の動作を説明するためのフローチャートである。
【符号の説明】
【００４４】
１  ＴＶモニタ、１０  制御装置、１１  入力手段、３０  ビデオ装置、６０  携帯電話  ７０  管理センタのサーバ  １００  インターネット、１０１  ＣＰＵ、１０２  テレビチューナ、１０３  音声スイッチ、１０４  映像多重部、１０５  ＬＡＮカード、１０６  メモリ、１０７  スケジュール管理テーブル、１０８音声合成装置、１０９  タイマ、  １１０  インタフェース  １２０  バス。
【図１】
2006277191.tif 000003
【図２】
2006277191.tif 000004
【図３】
2006277191.tif 000005
【図４】
2006277191.tif 000006